(57)【要約】【課題】複数のデバイス間で共通の色再現を実現し、かつ色再現のための細やかな調整が可能な画像処理装置を提供することを目的とする。【解決手段】所定の色域を有する画像表示装置２と、該画像表示装置２と異なる色域を有し、かつ相互に異なる色域を有する複数の画像出力装置３との間における色域圧縮によるカラーマッチングを行う画像処理装置１であって、画像表示装置２における所定の色に対してあらかじめ設定された、画像出力装置３の目標色を読み込む読込手段（１８）と、各目標色の色相角に基づいて、共通の色相線を任意に設定可能な色相線設定手段（６）と、前記所定の色に対する、前記共通の色相線における色域圧縮後の色である制御色を、画像出力装置３の色域と、前記各目標色とに基づいて算出する制御色算出手段（８）と、を備え、前記制御色を用いて、色域圧縮によるカラーマッチングを行うことを特徴とする。【選択図】  図１
2004153340.tif 000002
【特許請求の範囲】
【請求項１】
所定の色域を有する第１の画像機器と、該第１の画像機器と異なる色域を有し、かつ相互に異なる色域を有する第２の複数の画像機器との間における色域圧縮によるカラーマッチングを行う画像処理装置であって、
前記第１の画像機器における所定の色に対してあらかじめ設定された、前記第２の各々の画像機器の目標色を読み込む読込手段と、
前記読み込まれた各目標色の色相角に基づいて、共通の色相線を任意に設定可能な色相線設定手段と、
前記所定の色に対する、前記共通の色相線における色域圧縮後の色である制御色を、前記第２の各々の画像機器の色域と、前記各目標色とに基づいて前記第２の各々の画像機器ごとに算出する制御色算出手段と、を備え、
前記制御色を用いて、色域圧縮によるカラーマッチングを行うことを特徴とする画像処理装置。
【発明の詳細な説明】
【０００１】
【発明の属する技術分野】
本発明は、色再現範囲（以下、色域という）の異なるデバイス間で色変換を行うための画像処理技術に関するものである。例えば、色域の大きいモニタ上のカラー画像信号を色域の小さいプリンタによりハードコピーする場合のように、異なるデバイス間におけるカラー画像データの入出力を行う場合に用いられる。
【０００２】
【従来の技術】
近年、インターネット等のネットワークが広く普及し、多くのユーザが、様々なデバイスをネットワークに接続する状況にある。そこで、異なるデバイス間においても同じような色で色再現しようという、デバイスに依存しない色再現技術が要求されるようになってきた。このデバイスに依存しない色再現技術を実現するためのシステムのことを一般的にカラーマネージメントシステム（ＣＭＳ）と呼んでいる。
【０００３】
このＣＭＳは、例えば、図２５に示すように、カメラ、プリンタ、モニタなどが接続されている場合において、入力系の色信号を出力系の色信号へ変換するときに、プロファイルとよばれる変換式もしくは変換テーブルにより、デバイスに依存しない色空間（ＣＩＥ−ＸＹＺ，ＣＩＥ−Ｌ＊ａ＊ｂ＊等）に一度変換することによって実現される。
【０００４】
図２６は、ＣＭＳの基本的な構成を説明するブロック図である。５２０１はＣＭＳにおける画像処理装置、５２０２はカメラなど画像を入力するための画像入力装置、５２０３はモニタなど画像を表示するための画像表示装置、５２０４はプリンタなど画像を出力するための画像出力装置、５２０５は画像入力装置５２０２より入力される信号を受信する画像入力部、５２０６は画像表示装置５２０３で表示するための信号を生成する画像表示部、５２０７は画像入力装置５２０２で入力され、画像表示装置５２０３で表示する色と、画像出力装置５２０４にて出力される色とのカラーマッチングを行うカラーマッチング処理部、５２０８は画像出力装置５２０４に出力するための階調変換処理や色変換処理などを行う画像処理部、５２０９は画像出力装置５２０４で出力するための信号を生成する画像出力部、５２１０は画像入力装置５２０２などのカメラプロファイルを記憶してあるカメラプロファイル、５２１１は画像表示装置５２０３などのモニタプロファイルを記憶してあるモニタプロファイル、５２１２は画像出力装置５２０４などのプリンタプロファイルを記憶してあるプリンタプロファイルである。
【０００５】
一般に、カラー画像を扱うデバイスの色域形状は、デバイス毎に異なる。例えば、モニタは、赤（Ｒ）、緑（Ｇ）、青（Ｂ）の３原色の蛍光体の発色により加法混色で色再現を行うため、モニタの色域は、使用する蛍光体の種類に依存する。一方、プリンタの色域は、減法混色で色再現を行うため、使用するインクの種類に依存する。例えば、ｓＲＧＢモニタの色域とインクジェットプリンタの色域とを示したものが図２７である。図２７は、ＣＩＥ−Ｌ＊ａ＊ｂ＊色空間から以下の式（１）、（２）を用いて変換される、Ｌ＊Ｃ＊平面上での２つの色域を比較したものである。
Ｌ＊＝Ｌ＊        （１）
Ｃ＊＝（（ａ＊）２＋（ｂ＊）２）１／２  （２）
図２７に示す色相の場合、インクジェットプリンタの色域は、モニタ色域に比べ彩度のピークが明度方向で低明度側にずれている。このため、モニタからプリンタへの色変換を行った場合、高明度、高彩度領域での色再現性が良くない。
【０００６】
このように、出力系の色域が入力系の色域より小さい場合には、画像によっては入力系の色を出力系において正確に色再現することが不可能となる。例えば、モニタ上の画像をプリンタで出力する場合、モニタ色域よりもプリンタ色域の方が小さいため、プリンタ色域外の色はそのまま再現できない。従ってこのような場合には、元の画像の色をなるべく保ちつつ、色域外の色を色域内に持ってくるような色変換が必要になる。このように、物理的に再現不可能な色を、何らかの処理により色域内に押し込むことを一般的に色域圧縮と呼んでいる。
【０００７】
従来、色域圧縮の手法としては、図２８（ａ）に示すように、▲１▼明度Ｌ＊を一定にして彩度Ｃ＊だけを圧縮するアルゴリズムや、図２８（ｂ）に示すように、▲２▼Ｌ軸上の固定された１点（例えば、Ｌ＊＝５０、このような‘点’で表現される色を焦点色と呼ぶ）に向かって引いた補助線上の点に圧縮するアルゴリズム、図２８（ｃ）に示すように、▲３▼出力系の最大彩度における明度軸上の点に向かって引いた補助線上の点に圧縮するアルゴリズムなどが知られている。
【０００８】
また、特開平９−４６５３７号公報には、明度を優先しつつ、彩度の低下も大きくならないように考慮したアルゴリズムが開示されている。
【０００９】
さらに、最近では、このような明度彩度方向のみ圧縮する２次元圧縮だけでなく、ある程度色相を変化させることで、より色再現性を高めるべく、明度彩度色相方向への３次元圧縮が提案されてきている。
【００１０】
このように現在では様々な色域圧縮の手法が提案され、画像処理装置に組み込まれており、接続された各デバイスの色域（例えば、入力系の色域であるモニタ色域と、出力系の色域であるプリンタ色域と）の違いに応じて、各デバイスごとに最適な色域圧縮が行われている。
【００１１】
【特許文献１】
特開平９−４６５３７号公報
【００１２】
【発明が解決しようとする課題】
しかしながら、上述のように従来の色域圧縮は、一般に、出力系のデバイスの色域ごとにそれぞれ最適な色域圧縮を行っていたため、例えば同じモニタ色を複数の出力系のデバイスで色再現しても、出力系のデバイスの色域がそれぞれ異なっている場合には、異なる色再現となってしまっていた。
【００１３】
また、このような場合に、相互に色域の異なる出力系の各デバイスで、同じモニタ色を同じ色味で再現できるようにすべく、色域圧縮の調整を行おうとしても、これまでは調整項目に自由度がなく、必ずしもユーザの所望の色味が実現できなかった。
【００１４】
本発明は、上記課題に鑑みてなされたものであり、各デバイスの色域の違いによらず、複数のデバイス間で共通の色再現を実現し、さらに色再現のための細やかな調整を実現することを目的とする。
【００１５】
【課題を解決するための手段】
上記の目的を達成するために本発明に係る画像処理装置は以下のような構成を備える。即ち、
所定の色域を有する第１の画像機器と、該第１の画像機器と異なる色域を有し、かつ相互に異なる色域を有する第２の複数の画像機器との間における色域圧縮によるカラーマッチングを行う画像処理装置であって、
前記第１の画像機器における所定の色に対してあらかじめ設定された、前記第２の各々の画像機器の目標色を読み込む読込手段と、
前記読み込まれた各目標色の色相角に基づいて、共通の色相線を任意に設定可能な色相線設定手段と、
前記所定の色に対する、前記共通の色相線における色域圧縮後の色である制御色を、前記第２の各々の画像機器の色域と、前記各目標色とに基づいて前記第２の各々の画像機器ごとに算出する制御色算出手段と、を備え、
前記制御色を用いて、色域圧縮によるカラーマッチングを行うことを特徴とする。
【００１６】
【発明の実施の形態】
はじめに本発明の概略について説明する。本発明は、各デバイスの色域の違いを考慮して、複数のデバイス間で共通の色再現を実現するものであり、共通の色再現を実現するにあたっては、各デバイスごとの色域を最大限に利用する。
【００１７】
つまり、同じモニタ色を色域圧縮する場合、各デバイス毎に異なる色域を有するため、従来であれば、色域圧縮後の明度、彩度、色相がそれぞれのデバイスごとに異なっていたところ、本発明によれば、同じモニタ色を色域圧縮する場合、各デバイス間の色相が共通になるように（同一色相面上で）色域圧縮することで、各デバイス間の色味の同一性が増す。
【００１８】
また、同一色相面上において、同一の圧縮線上（詳細は後述）に色域圧縮することで、異なるデバイス間における、色味の同一性を更に増すことが可能となる。
【００１９】
さらに、各デバイス間の共通の色相は、ユーザが任意に設定可能であり、また、圧縮線もユーザが任意に設定可能とすることで、色再現のための細やかな調整が可能となる。以下に、添付図面を参照しながら、本発明の実施形態を詳細に説明する。
【００２０】
【第１の実施形態】
図１は本発明の実施形態である画像処理装置を備えるシステムの構成を示したブロック図である。１は本発明の第１の実施形態にかかる画像処理装置、２はモニタなど画像を表示するための画像表示装置、３はプリンタなど画像を出力するための画像出力装置、４は画像表示装置２で表示するための信号を生成する画像表示部、５は画像表示装置２に表示される色を画像出力装置３に出力するための階調変換処理などを行う画像処理部、６は色相線を設定する色相線設定部、７は明度彩度方向の色域圧縮線を設定する圧縮線設定部、８は色域圧縮する際に使用する制御点の設定を行う制御点設定部、９は画像表示装置２に表示される色と画像出力装置３にて出力される色とのカラーマッチングＬＵＴを作成するカラーマッチングＬＵＴ作成部、１０は画像出力装置３に出力するための色変換処理を行う色変換処理部、１１はオリジナル色を記憶するオリジナル色記憶部、１２は画像出力装置３で出力するための信号を生成する画像出力部、１３はデータ処理を行うために一時的にデータを保存するデータバッファ、１４は画像表示装置２などのモニタプロファイルを記憶しておくモニタプロファイル、１５は画像出力装置３などのプリンタプロファイルを記憶してあるプリンタプロファイル、１６はユーザが画像処理装置１を用いて操作を行うためのＵＩ部、１７は画像出力装置３で用いる出力用紙の種類等を設定する出力条件設定部、１８はユーザが指定した目標色を設定する目標色設定部である。
【００２１】
＜全体処理＞
ここで図２は、画像処理装置１にて行われる画像処理の流れを示すフローチャートであり、図５は、ユーザがその処理を操作するユーザインタフェース（ＵＩ）である。では、図２のフローチャートと図５のＵＩを用い、画像処理装置１にて行われる色域圧縮処理について詳細に説明する。
【００２２】
ステップＳ２０１では、ユーザによって出力機器設定領域５０３、出力用紙設定領域５０４及び色再現モード設定領域５０５にて、プルダウン形式で選択された出力条件（出力機器、出力用紙、色再現モード）の情報を取得する。
【００２３】
ステップＳ２０２では、ユーザが制御点数設定ボタン５０６を押下することで現れるテキストボックス（不図示）に所望の制御点数Ｎを入力することで制御点数Ｎ情報を取得する。
【００２４】
ステップＳ２０３では、ユーザが格子点数設定ボタン５０７を押下することで現れるテキストボックス（不図示）に所望の格子点数Ｍを入力することで、カラーマッチングＬＵＴ格子点数Ｍ情報を取得する。ステップＳ２０４では、目標色ファイル名入力領域５２３に目標色ファイル名を複数（または一つ）入力し、目標色入力ボタン５０８を押下することで、目標色設定部１８においてユーザの指定したファイルから目標色情報を取得する。ここで、目標色Ｒｅｆとは、たとえばユーザが色味を一致させて出力したいプリンタがある場合、このプリンタの出力した色のＬ＊Ｃ＊ｈデータＮ色（Ｌ＊Ｃ＊ｈデータとは、Ｌ＊Ｃ＊ｈ色空間における色座標である）を指しており、目標色設定部１８にあらかじめ記憶されているものとする。目標色Ｒｅｆは、図１５に示すようなテーブルデータとする。
【００２５】
ステップＳ２０５では、プリンタプロファイル１５にあらかじめ記憶されている画像出力装置３の色域データＧｏｎを読み出す。たとえば、色域データＧｏｎは、プリンタに送られるデジタルデータＲＧＢを出力した結果の測色データＬａｂのデータであり、具体的には、ＲＧＢ各９段階のデータ（計７２９色）の出力結果のＬａｂ値である。
【００２６】
ステップＳ２０６では、制御点数Ｎを０に初期化する。ステップＳ２０７では、色相線設定部６で色相線Ｈｎを設定する。色相線Ｈｎ設定の詳細な説明は、図３のフローチャートを用いて後述する。ステップＳ２０８では、圧縮線設定部７で圧縮線Ｌｎを設定する。圧縮線Ｌｎ設定の詳細は図４のフローチャートを用いて後述する。ステップＳ２０９では、ステップＳ２０８で求めた値に基づいて色域圧縮を行うための制御点に設定する。
【００２７】
ステップＳ２１０では、Ｎが制御点数分ループを行っていない場合はステップＳ２１２へ進みＮに１を加えてステップＳ２０７へ進み、Ｎ値が制御点数分（本実施形態では、制御点数は１８）に達した場合は、処理を終了する。
【００２８】
ステップＳ２１１では、ユーザがカラーマッチングＬＵＴ作成ボタン５２２を押下することで、カラーマッチングＬＵＴを作成する。カラーマッチングＬＵＴ作成の詳細は、図８のフローチャートを用いて後述する。本実施形態では、Ｎを１８（ＲＧＢＣＭＹ各々についてＢｒｉｇｈｔ，Ｄａｒｋ，Ｐｒｉｍａｒｙ）としているが、１８色に限定しないのはもちろん、色の成分についても限定しないのは言うまでもない。
【００２９】
＜色相線設定＞
次に図３、図５と図１１を用い、ステップＳ２０７の色相線設定の詳細を説明する。ステップＳ３０１では、色相線に対する詳細設定の有無を判別する。ここでは、ユーザが色相線設定ボタン５０２を押下しない場合、ステップＳ３０６へ進み、色相角平均Ｈ’を算出しステップＳ３０４へ進む。色相角平均Ｈ’の算出処理について図１１を用いて詳細に説明する。
【００３０】
図１１は、ＣＩＥ−Ｌ＊ａ＊ｂ＊色空間のａ＊ｂ＊平面である。図１１に示す通り、本実施形態では、色相角Ｈ’を目標色（Ｒｅｆ１、Ｒｅｆ２、Ｒｅｆ３）の色相角平均を算出して求めている。
【００３１】
一方、ユーザが色相線設定ボタン５０２を押下する場合には、色相線設定領域５１０の操作が可能になり、ステップＳ３０２へ進む。
【００３２】
ここで、色相線設定領域５１０について詳細に説明する。色相線色設定領域５１２では、プルダウン形式で制御点数Ｎに設定した１８色中一色の選択を行う。色相線色域表示ボタン５１４に示すラジオボタンの制御により、現在処理対象としている画像出力装置３の色域表示の有無が選択可能となる。
【００３３】
色相線目標色表示ボタン５１５に示すラジオボタンの制御により目標色（Ｒｅｆ１、Ｒｅｆ２、Ｒｅｆ３）表示の有無を選択できる。ユーザは、プリンタ色域を考慮しながら、色相線表示領域５１３の色相線Ｈｎについて目標色の近似曲線（直線、２次、３次・・・）等自由な制御が可能である。ここで図２０を用いて色相線Ｈｎの作成方法を詳細に説明する。
【００３４】
図２０は図５に示すＵＩの色相線表示領域５１３部分のみを図示したものであり、図２０（ａ）に示す色相線Ｈｎ’’は、色相線の詳細設定を行う場合の変更前の色相線を示し、図２０（ｂ）に示す色相線Ｈｎ’は色相線の詳細設定を行う場合の変更後の色相線を示している。
【００３５】
変更後色相線Ｈｎ’は、変更前色相線Ｈｎ’’上の任意の色度点Ｚ１’’を上下左右（図２０では下方向）に動かし、図２０（ｂ）に表すように色度点Ｚ１’を通る目標色Ｒｅｆの近似曲線を算出することで求めることができる。
【００３６】
ステップＳ３０２では、色相線表示領域５１３で色相設定し、ＯＫボタン５１６を押下することで、上記のように変更後の色相線Ｈｎ’を算出し色相線Ｈｎに設定する。ステップＳ３０３では、ステップＳ３０２で算出した色相線Ｈｎと色域データＧｏｎの交点Ｘｌａｂを算出する。
【００３７】
ステップＳ３０４では、ステップＳ３０３で算出した交点Ｘｌａｂの色度座標から算出した交点色相角Ｈ’’、もしくはステップＳ３０６で計算した色相角平均Ｈ’を色域変換後の色相角Ｈａｖに設定する。ステップＳ３０５では、色相角Ｈａｖをデータバッファに書き込み、この処理を終える。
【００３８】
このように、色域変換後の色相線の詳細設定を行う場合、ユーザは、色相線表示領域５１３において、自分の意図を反映させた色相線を自由に調整することが可能となる。また、詳細設定を行わない場合は、図１１に示すように平均色相角Ｈ’となる。ここで、上記に説明した色相線Ｈｎ’を設定するための色相線Ｈｎ’’上の任意の色度点Ｚ１’’は、１点に限定しないのはもちろんであり、色相線Ｈｎ’’上に複数の点Ｚ１’’を用い色相線Ｈｎ’を設定するようにして良い。
【００３９】
＜圧縮線設定＞
次に、図１３を用いて圧縮線の詳細な説明を行う。図１３は、ＣＩＥ−Ｌ＊ａ＊ｂ＊色空間から変換されるＬ＊Ｃ＊平面である。圧縮線Ｌｎは、色相変換後のオリジナル色ＯＲｍからＬ＊軸上のＬｓｔへ向けて引いた線である。図１３では、圧縮線Ｌｎを直線で図示しているが、直線に限定しないのは言うまでもない。
【００４０】
次に図４を用い、ステップＳ２０８の圧縮線設定の詳細を説明する。ステップＳ４０１では、データバッファ１３から色相角Ｈａｖを読み出す。ステップＳ４０２では、オリジナル色記憶部からオリジナル色ＯＲｃを読み出す。ここで、オリジナル色ＯＲｃは、モニタである画像表示装置２に表示されているモニタ色を示し、図１０のようなテーブルデータとしてオリジナル色記憶部１１に保存しておく。図１０において、Ｎは制御点数、Ｒ，Ｇ，Ｂは画像表示装置２へ入力するデジタルデータ、Ｌｍ，Ｃｍ，ｈｍは画像表示装置２にて表示される測色値（ＣＩＥ−Ｌ＊Ｃ＊ｈ色空間における値）である。
【００４１】
ステップＳ４０３では、オリジナル色ＯＲｃに色相変換を施したＯＲｍを算出する。ここで、オリジナル色ＯＲｃとオリジナル色ＯＲｍとの関係について図９を用いて詳細に説明する。図９は、ＣＩＥ−Ｌ＊ａ＊ｂ＊色空間におけるａ＊ｂ＊平面である。図９は、オリジナル色ＯＲｃ（○印）を色相角Ｈａｖへと色相変換した色ＯＲｍ（△印）を表している。
【００４２】
ステップＳ４０４では、詳細設定の有無を判別する。ここでは、圧縮線設定ボタン５０９を押下し、圧縮線設定領域５１１上で詳細な設定をする場合はステップＳ４０５へ進み、詳細な設定を行わない場合はステップＳ４０７へ進む。ステップＳ４０７では、目標色Ｒｅｆと最短距離となる直線Ｌを算出する。
【００４３】
ここで、ステップＳ４０７について図１２を用いて詳細に説明する。図１２は、ＣＩＥ−Ｌ＊Ｃ＊ｈ色空間上のＬ＊Ｃ＊平面である。図１２に示す通り、色相変換後のオリジナル色ＯＲｍを通り、目標色Ｒｅｆ１、Ｒｅｆ２、Ｒｅｆ３との距離が最短である、グレー軸上の一点（焦点色）Ｌｓｔに向かって引く直線Ｌｎを算出する。本実施形態では、直線Ｌｎの算出方法を、目標色との距離が最短である直線としているが、他の近似曲線などでも構わない。
【００４４】
ステップＳ４０８では、ステップＳ４０７で算出した直線Ｌｎの切片を焦点色Ｌｓｔに設定する。圧縮線設定領域５１１上で詳細設定を行う場合、ステップＳ４０５へ進む。
【００４５】
ここで、圧縮線設定領域５１１について詳細に説明する。圧縮線色設定領域５１７はプルダウン形式で制御点に設定した１８色中一色の選択ができる。圧縮線色域表示ボタン５１９に示すラジオボタンの制御を行うことで、現在処理対象としている画像出力装置３の色域表示の表示、非表示の選択が可能となる。圧縮線目標色表示ボタン５２０に示すラジオボタンの制御を行うことで、目標色（Ｒｅｆ１、Ｒｅｆ２、Ｒｅｆ３）の表示、非表示の選択が可能となる。圧縮線表示領域５１８では、オリジナル色から焦点色Ｌｓｔに向かって引く圧縮線Ｌｎの制御を行う。圧縮線表示領域５１８の圧縮線Ｌｎについて、焦点色の移動や、目標色の近似曲線（直線、２次、３次・・・）作成等、自由な制御が可能である。
【００４６】
ここで、図２１を用いて圧縮線Ｌｎの作成方法を詳細に説明する。図２１は図５のＵＩの圧縮線表示領域５１８に示す部分のみを図示したものであり、図２１（ａ）、（ｃ）に示す圧縮線Ｌｎ’’は、圧縮線の詳細設定を行う場合の変更前の圧縮線を示し、図２１（ｂ）、（ｄ）に示す圧縮線Ｌｎ’は圧縮線の詳細設定を行う場合の変更後の圧縮線を示している。
【００４７】
まず、焦点色Ｌｓｔを移動させることで圧縮線を制御する方法を図２１（ｃ）、（ｄ）を用いて説明する。変更後圧縮線Ｌｎ’は、変更前圧縮線Ｌｎ’’上の焦点Ｌ’’ｓｔを上下（図２１では、上方向）に移動し、図２１（ｄ）に示すような焦点Ｌ’ｓｔ、変換後オリジナル色ＯＲｍを通る曲線を算出することで求めることができ、この変更後圧縮線Ｌｎ’を圧縮線Ｌｎに設定する。次に、焦点色Ｌｓｔではなく、圧縮線Ｌｎそのものを制御する方法を図２１（ａ）、（ｂ）を用いて説明する。
【００４８】
変更後圧縮線Ｌｎ’は、変更前圧縮線Ｌｎ’’上の任意の色度点Ｚ２’’を上下左右（図２１では右上方向）に動かし、図２１（ｂ）に表すように色度点Ｚ２’、焦点色Ｌｓｔ、変換後オリジナル色ＯＲｍを通る曲線を算出することで求めることができ、この変更後圧縮線Ｌｎ’を圧縮線Ｌｎに設定する。
【００４９】
一方、ステップＳ４０６では、ステップＳ４０５でユーザが圧縮線表示領域５１８においてプリンタの色域形状を考慮しつつ圧縮線を調整し、所望の圧縮線を作成しＯＫボタン５２１を押下することで、色相変換後のオリジナル色ＯＲｍと焦点色Ｌｓｔとを結ぶよう算出された変更後圧縮線Ｌｎ’を圧縮線Ｌｎに設定する。
【００５０】
ステップＳ４０９では、色域データＧｏｎと圧縮線Ｌｎとの交点Ｘｌａｂを算出する。ここで、交点Ｘｌａｂ算出の詳細な説明は図６のフローチャートを用いて後述する。
【００５１】
ステップＳ４１０では、ステップＳ４０９で算出した交点Ｘｌａｂを、色域圧縮のための制御点に設定し、この処理を終える。ここで、上記に説明した圧縮線Ｌｎ’を設定するための圧縮線Ｌｎ’’上の任意の色度点Ｚ２’’は、１点に限定しないのはもちろんであり、圧縮線Ｌｎ’’上に複数の点Ｚ２’’を用い、新たな圧縮線Ｌｎ’を設定するようにして良い。
【００５２】
＜カラーマッチングＬＵＴ作成＞
次に図８を用い、ステップＳ２１１のカラーマッチングＬＵＴ作成処理の詳細を説明する。ステップＳ８０１では、制御点数Ｎが格子点データＭ３を含む場合は、ステップＳ８１０へ進み、格子点データＭ３を含まない場合はステップＳ８０２に進む。ここで、本実施形態では格子点グリット数Ｍを９としているが、格子点グリット数Ｍは９に限定しないのは言うまでもない。
【００５３】
ステップＳ８０２では、変数Ｃｏｌを１に初期化している。ここで、Ｃｏｌは次ステップである、ループ内処理をＲＧＢＣＭＹの６色行うための変数である。ステップＳ８０３では、写像元（入力系色域）Ｗｈｉｔｅ−Ｐｒｉｍａｒｙ−Ｂｌａｃｋライン上の色相補間処理を行う。本実施形態（制御点数Ｎ＝１８、格子点グリット数Ｍ＝９）では、写像元のＷｈｉｔｅ−Ｐｒｉｍａｒｙ−Ｂｌａｃｋライン上には、５色（Ｐｒｉｍａｒｙ，Ｂｒｉｇｈｔ，Ｄａｒｋ＋Ｗｈｉｔｅ，Ｂｌａｃｋ）のオリジナル色しか存在していないため、残りの１２色の色度を算出し、補間により色相線を設定する。
【００５４】
ステップＳ８０４では、前記ステップＳ８０３で補間演算により算出したＷｈｉｔｅ−Ｐｒｉｍａｒｙ−Ｂｌａｃｋ線上の１２色に対応した、色域圧縮するための焦点色を算出する。残り１２色の焦点色は、５色のオリジナル色とそれに対応する５色の焦点色の関係を用いて補間演算を行うことで算出する。
【００５５】
ステップＳ８０５では、ステップＳ８０３及びステップＳ８０４で算出したオリジナル色と焦点色とを用いて圧縮線Ｌｎを算出する。ステップＳ８０６では、色数Ｃｏｌ値が６以上であればステップＳ８０７へ進み、Ｃｏｌ値が５以下ならばステップＳ８１２へ進み、変数Ｃｏｌに１を加えステップＳ８０３へ進む。
【００５６】
ステップＳ８０７では、色域データＧｏｎと圧縮線Ｌｎとの交点Ｘｌａｂを算出する。ステップＳ８０８では、ステップＳ６０３で求めたオリジナル色とステップＳ６０７で算出した交点ＸｌａｂとステップＳ６０５で算出した圧縮線Ｌｎを用い、残りの全ての格子点データＭ３に対して、対応する写像先を求める。ここでは、入力系色域とプリンタ色域との関係（体積比など）によって、線形（または非線形）の色域圧縮を行う。
【００５７】
ステップＳ８０９では、ステップＳ８０８で行った写像先をＭ３格子点データの制御点に設定する。ステップＳ８１０では、Ｎ色の中からＭ３の格子点データ分を取り出す。ステップＳ８１１では、ステップＳ８０９で設定した制御点及び、ステップＳ８１０で取り出したデータからＭグリットのカラーマッチングＬＵＴを作成する。ここで、本実施形態では格子点グリット数Ｍを９としているが、格子点グリット数Ｍは９に限定しないのは言うまでもない。
【００５８】
＜色域データと圧縮線との交点算出＞
次に図６、図７、図１９を用い、ステップＳ５０７である色域データＧｏｎと圧縮線Ｌｎとの交点Ｘｌａｂ算出処理の詳細を説明する。図１９は色域データＧｏｎをＲＧＢ色空間で表現したものである（つまり、交点Ｘｌａｂは常に図１９の色立体の表面に存在することになる）。
【００５９】
ステップＳ６０１では、変数Ｃｏｌを１に初期化する。Ｃｏｌは、ＲＧＢＣＭＹの６色分のループを回すための変数で、６回のループで、ＲＧＢ座標における色立体（図１９参照）  を構成する６平面（Ｒ＝０，Ｇ＝０，Ｂ＝０，Ｒ＝２５５，Ｇ＝２５５，Ｂ＝２５５）の全平面において、圧縮線Ｌｎと色域データＧｏｎとの交点検索を行っている。
【００６０】
ステップＳ６０２では、変数ｉを０に初期する。ステップＳ６０３では、変数ｊを０に初期化する。ここで、図７を用いて、変数ｉ，ｊの詳細な説明を行う。図７に示す通り、変数ｉ，ｊはＲＧＢ座標における色立体平面上の格子点上を動く変数である。
【００６１】
ステップＳ６０４では、ある色立体のある平面上の（ｉ，ｊ），（ｉ＋１，ｊ），（ｉ，ｊ＋１）の三点（図７（ａ）参照）におけるＣＩＥ−Ｌ＊ａ＊ｂ＊値から３点を通る平面Ｈｎを計算する。ステップＳ６０５では、ステップＳ６０４で作成した平面Ｈｎと圧縮線Ｌｎとの交点を算出する。ステップＳ６０６では、ステップＳ６０５で計算した交点が、ステップＳ６０４の三点で作る三角形内に入っているかの判定を行い、交点が三角形内に存在すればステップＳ６１７へ、交点が三角形内に存在しなければステップＳ６０７へ進む。
【００６２】
ステップＳ６０７では、変数ｊの判定を行いｊが格子点数Ｍ−１より小さい時はステップＳ６１８へ進み、ステップＳ６１８でｊに１を加えてステップＳ６０４へ進み、ｊがＭ−１以上の時はステップＳ６０８へ進む。
【００６３】
ステップＳ６０８では、変数ｉの判定を行い、ｉがＭ−１より小さいときはステップＳ６１９へ進み、ステップＳ６１９でｉに１を加えてＳ６０３へ進み、ｉがＭ−１以上の時はステップＳ６０９へ進む（ここまでの処理で、図７（ａ）の領域の交点検索終了）。
【００６４】
ステップＳ６０９では、ｉの初期化を行う。ステップＳ６１０では、ｊの初期化を行う。ステップＳ６１１では、色立体のある平面上の（ｉ，ｊ），（ｉ−１，ｊ），（ｉ，ｊ−１）の三点（図７（ｂ）参照）におけるＣＩＥ−Ｌ＊ａ＊ｂ＊値から平面Ｈｎを作成する。
【００６５】
ステップＳ６１２では、圧縮線ＬｎとステップＳ６１１で作成した平面Ｈｎとの交点を算出する。ステップＳ６１３では、ステップＳ６１２で算出した交点がステップＳ６１１での三点で囲まれる三角形内に含まれるかの判定を行い、含まれる時はステップＳ６１７へ、交点が三角形内に含まれない時はステップＳ６１４へ進む。
【００６６】
ステップＳ６１４では、ｊの判定を行い、ｊがＭより小さい時はステップＳ６２０へ進み、ステップＳ６２０でｊに１を加えてステップＳ６１１へ進み、ｊがＭ以上の時はステップＳ６１５へ進む。
【００６７】
ステップＳ６１５は、ｉの判定を行い、ｉがＭより小さいときはステップＳ６２１へ進み、ステップＳ６２１でｉに１を加えてステップＳ６１０、ｉがＭ以上のときはステップＳ６１６へ進む。
【００６８】
ステップＳ６１６では、変数Ｃｏｌの判定を行い、変数Ｃｏｌが６以外の時はステップＳ６２２にて変数Ｃｏｌに１を加えてステップＳ６０２へ進み、変数Ｃｏｌが６の時はステップＳ６１７へ進む（ここまでの処理で図７（ｂ）の領域の交点検索終了）。ステップＳ６１７では、ステップＳ６０６もしくはＳ６１３にて判定をし、三角形の内部に存在した交点を、色域データＧｏｎと圧縮線Ｌｎの交点Ｘｌａｂに決定する。
【００６９】
以上説明したように本実施形態によれば、異なる色再現範囲を持つ第１の画像機器（画像表示装置２）と第２の画像機器（画像出力装置３）との間でのカラーマッチングにおいて、該第１の画像機器色の色相と該第２の画像機器色の色相とを対応させる色相線を設定し、該第１の画像機器色の明度または彩度と該第２の画像機器色の明度または彩度とを対応させる圧縮線を設定し、該色相線と該圧縮線に基づき、該第２の画像機器の色の色変換を行うことで、各デバイスの色域の違いを考慮して、より自然な色再現ができるとともに、アルゴリズム調整の自由度が高いユーザインタフェースを提供することで、色域圧縮アルゴリズムにおいてユーザの意図を反映させ、より細やかな設定が可能となる。
【００７０】
【第２の実施形態】
色相線および圧縮線の設定方法は、上記第１の実施形態に示すものに限らず、他の方法であってもよい。以下、添付図面を参照しながら第２の実施形態にかかる画像処理装置における色相線および圧縮線の設定方法について説明する。
【００７１】
図１６は本発明の第２の実施形態にかかる画像処理装置を備えるシステムの構成を示したブロック図である。１６０１は本発明の第２の実施形態にかかる画像処理装置、１６０２はモニタなど画像を表示するための画像表示装置、１６０３はプリンタなど画像を出力するための画像出力装置、１６０４は画像表示装置１６０２で表示するための信号を生成する画像表示部、１６０５は画像表示装置１６０２に表示される色を画像出力装置１６０３に出力するための階調変換処理などを行う画像処理部、１６０６は色相線を設定する色相線設定部、１６０７は明度彩度方向の色域圧縮線を設定する圧縮線設定部、１６０８は色域圧縮する際に使用する制御点の設定を行う制御点設定部、１６０９は画像表示装置１６０２に表示される色と画像出力装置１６０３にて出力される色とのカラーマッチングＬＵＴを作成するカラーマッチングＬＵＴ作成部、１６１０は画像出力装置１６０３に出力するための色変換処理を行う色変換処理部、１６１１はオリジナル色を記憶するオリジナル色記憶部、１６１２は画像出力装置１６０３で出力するための信号を生成する画像出力部、１６１３はデータ処理を行うために一時的にデータを保存するデータバッファ、１６１４は画像表示装置１６０２などのモニタプロファイルを記憶しておくモニタプロファイル、１６１５は画像出力装置１６０３などのプリンタプロファイルを記憶してあるプリンタプロファイル、１６１６はユーザが画像処理装置１６０２を用いて操作を行うためのＵＩ部、１６１７は画像出力装置１６０３で用いる出力用紙の種類等を設定する出力条件設定部、１６１８はユーザが指定した目標色を設定する目標色設定部、１６１９は明度の異なる同一色（例えば、Ｂｒｉｇｈｔ、Ｐｒｉｍａｒｙ、Ｄａｒｋ）の色相歪みを補正する歪み補正処理部である。
【００７２】
＜全体処理＞
ここで図１７は、画像処理装置１６０１にて行われる画像処理の流れを示すフローチャートであり、図１８は、ユーザがその処理を操作するユーザインタフェース（ＵＩ）である。画像処理装置１６０１は、上記第１の実施形態での画像処理装置１に歪み補正処理部１９が追加されたものである。ステップＳ１７０１からステップＳ１７０６までの処理は、第１の実施形態における図２のステップＳ２０１からステップＳ２０６までの処理と同様であるためここでは説明を省略する。
【００７３】
ステップＳ１７０７では、歪み補正付色相線設定処理を行う。歪み補正付色相線設定処理の詳細は図２３のフローチャートを用いて後述する。ステップＳ１７０８では、歪み補正付圧縮線設定処理を行う。この歪み補正付圧縮線処理の詳細は図２４のフローチャートを用いて後述する。ステップＳ１７０９からステップＳ１７１２までの処理は、第１の実施形態において図２のステップＳ２０９からステップＳ２１２までの処理と同様であるため、ここでは説明を省略する。
【００７４】
＜歪み補正付色相線設定＞
図２３のフローチャートを用いて、ステップＳ１７０７の歪み補正付色相線設定処理の詳細を説明する。ステップＳ２３０１からステップＳ２３０６までの処理は、第１の実施形態における図３のステップＳ３０１からステップＳ３０６までの処理と同様であるためここでは説明を省略する。
【００７５】
ステップＳ２３０７では、色相線の歪み補正の有無を判別する。ユーザが図１８の歪み補正処理ボタン１８２４を押下することで、図１４の歪み補正表示画面１４０１が現れ、ステップＳ２３０８へ進む。
【００７６】
ステップＳ２３０８では、歪み補正表示領域１４０２で色相を補正し、ＯＫボタン１４０３を押下することで歪み補正処理を行い、補正後の色相線を色相線Ｈｎに設定する。ここで、図１４の歪み補正表示画面１４０１について詳細な説明を行う。
【００７７】
図１８の色相線色設定領域１８１２のプルダウン形式で選択されている色相の、Ｐｒｉｍａｒｙ、Ｂｒｉｇｈｔ、Ｄａｒｋの色相線Ｈｎが歪み補正表示領域１４０２に全て表示され、色相線色設定領域１８１２のプルダウン形式で選択されている色の色相線Ｈｎについての編集が可能となる。例えば、ＢｒｉｇｈｔＲｅｄの色相線Ｈｎの調整をしている場合、歪み補正表示領域１４０２には、ＢｒｉｇｈｔＲｅｄの他にＤａｒｋＲｅｄ、ＰｒｉｍａｒｙＲｅｄの２色のそれぞれの色相線Ｈｎを表示されるためＢｒｉｇｈｔ、Ｐｒｉｍａｒｙ、Ｄａｒｋの三者の関係（Ｄａｒｋ−Ｂｒｉｇｈｔ−Ｐｒｉｍａｒｙラインのつながり等）を見ながら色相線Ｈｎを調整できる。
【００７８】
＜歪み補正付圧縮線設定＞
図２４のフローチャートを用いて、ステップＳ１７０８の歪み補正付圧縮線設定処理の詳細を説明する。ステップＳ２４０１からステップＳ２４１０までの処理は、第１の実施形態における図３のステップＳ４０１からステップＳ４１０までの処理と同様であるためここでは説明を省略する。
【００７９】
ステップＳ２４１１では、圧縮線の歪み補正の有無を判別する。歪み補正処理部１６１９において、ユーザが歪み補正処理ボタン１８２５を押下することで、図２２の歪み補正付圧縮線表示画面２２０１が現れる。
【００８０】
ステップＳ２４１２では、歪み補正付圧縮線表示画面２２０１で圧縮線を補正し、ＯＫボタン２２０３を押下することで歪み補正を行い、補正後の圧縮線を圧縮線Ｌｎに設定する。
【００８１】
ここで、図２２の歪み補正付圧縮線表示画面２２０１について詳細な説明を行う。圧縮線色設定領域１８１７のプルダウン形式で選択されている色相の、Ｐｒｉｍａｒｙ、Ｂｒｉｇｈｔ、Ｄａｒｋの圧縮線Ｌｎが色設定領域２２０２に全て表示され、圧縮線色設定領域１８１７のプルダウン形式で選択されている色の圧縮線Ｌｎについての編集が可能となる。
【００８２】
例えば、ＢｒｉｇｈｔＲｅｄの圧縮線Ｌｎの調整をしている場合、色設定領域２２０２には、ＢｒｉｇｈｔＲｅｄの他にＤａｒｋＲｅｄ、ＰｒｉｍａｒｙＲｅｄの２色のそれぞれの圧縮線Ｌｎを表示されるためＢｒｉｇｈｔ、Ｐｒｉｍａｒｙ、Ｄａｒｋの三者の関係（圧縮線Ｌｎがそれぞれ交差しない等）を見ながら圧縮線Ｌｎを調整できる。なお、ステップＳ２３０８における色相の調整方法及びステップＳ２４１２における圧縮線の調整方法は、第１の実施形態と同様である。
【００８３】
以上の説明から明らかなように、本実施形態によれば、色相線および圧縮線の設定において、それぞれ歪み補正処理を施すことで、出力系の各デバイス間の色味の同一性を更に増すことが可能となる。
【００８４】
【第３の実施形態】
上記第１の実施形態におけるステップＳ２０２、および上記第２の実施形態におけるステップＳ１７０２では、色域圧縮を行う際使用する制御点数を、Ｒ，Ｇ，Ｂ，Ｃ，Ｍ，Ｙ各々Ｐｒｉｍａｒｙ，Ｂｒｉｇｈｔ，Ｄａｒｋの１８色としたがこれに限定しない。求める精度、目的に応じ変化させてよいことは言うまでもない。
【００８５】
【第４の実施形態】
上記第１の実施形態におけるステップＳ２０３、および上記第２の実施形態におけるステップＳ１７０３では、作成するカラーマッチングＬＵＴの格子点数を９としたがこれに限定しない。求める精度、目的に応じて変化させてよいことは言うまでもない。
【００８６】
【第５の実施形態】
前記各実施形態では、図５、図１４、図１８のユーザインタフェース（以下ＵＩ）の例として、ボタンによる選択方法とプルダウン形式による選択方法を示したが、これに限定されないことは、言うまでもない。メニュー形式にして、ユーザに選択させるようなＵＩでも構わない。また、キーワードを直接入力させるようなＵＩ形式でも構わない。また、色相線、圧縮線の調整方法として、ユーザが任意の点を動かすことで所望の曲線を作成する方法を示したが、これに限定されないことは、言うまでもない。ユーザが近似式を入力したり、線そのものを描いたりなど、ユーザの所望の設定ができるようなＵＩ構成であればよく、限定しない。
【００８７】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００８８】
この場合、記憶媒体から読み出されたプログラムコード自体が前述した実施形態の機能を実現することになり、そのプログラムコードを記憶した記憶媒体は本発明を構成することになる。
【００８９】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【００９０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００９１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００９２】
なお、本発明に係る実施態様の例を以下に列挙する。
【００９３】
［実施態様１］  所定の色域を有する第１の画像機器と、該第１の画像機器と異なる色域を有し、かつ相互に異なる色域を有する第２の複数の画像機器との間における色域圧縮によるカラーマッチングを行う画像処理装置であって、
前記第１の画像機器における所定の色に対してあらかじめ設定された、前記第２の各々の画像機器の目標色を読み込む読込手段と、
前記読み込まれた各目標色の色相角に基づいて、共通の色相線を任意に設定可能な色相線設定手段と、
前記所定の色に対する、前記共通の色相線における色域圧縮後の色である制御色を、前記第２の各々の画像機器の色域と、前記各目標色とに基づいて前記第２の各々の画像機器ごとに算出する制御色算出手段と、を備え、
前記制御色を用いて、色域圧縮によるカラーマッチングを行うことを特徴とする画像処理装置。
【００９４】
［実施態様２］  所定の色域を有する第１の画像機器と、該第１の画像機器と異なる色域を有し、かつ相互に異なる色域を有する第２の複数の画像機器との間における色域圧縮によるカラーマッチングを行う画像処理方法であって、
前記第１の画像機器における所定の色に対してあらかじめ設定された、前記第２の各々の画像機器の目標色を読み込む読込工程と、
前記読み込まれた各目標色の色相角に基づいて、共通の色相線を任意に設定可能な色相線設定工程と、
前記所定の色に対する、前記共通の色相線における色域圧縮後の色である制御色を、前記第２の各々の画像機器の色域と、前記各目標色とに基づいて前記第２の各々の画像機器ごとに算出する制御色算出工程と、を備え、
前記制御色を用いて、色域圧縮によるカラーマッチングを行うことを特徴とする画像処理方法。
【００９５】
［実施態様３］  所定の色域を有する第１の画像機器と、該第１の画像機器と異なる色域を有し、かつ相互に異なる色域を有する第２の複数の画像機器との間における色域圧縮によるカラーマッチングを行う画像処理方法であって、
前記第１の画像機器における所定の色に対してあらかじめ設定された、前記第２の各々の画像機器の目標色を読み込む読込工程と、
前記読み込まれた各目標色の色相角に基づいて、共通の色相線を任意に設定可能な色相線設定工程と、
前記所定の色に対する、前記共通の色相線における圧縮線を、前記各目標色に基づいて任意に設定可能な圧縮線設定工程と、
前記所定の色に対する、前記共通の色相線における色域圧縮後の色である制御色を、前記圧縮線と、前記第２の各々の画像機器の色域とに基づいて、前記第２の各々の画像機器ごとに算出する制御色算出工程と、
前記制御色を用いて、色域圧縮によるカラーマッチングを行うことを特徴とする画像処理方法。
【００９６】
［実施態様４］  前記色相線設定工程は、前記各目標色の所定の色空間における色相角に対する、歪み補正処理を行うことが可能であって、該歪み補正処理結果に基づいて前記共通の色相線を設定することを特徴とする実施態様３に記載の画像処理方法。
【００９７】
［実施態様５］  前記圧縮線設定工程は、前記共通の色相線における所定の色空間における前記各目標色の明度及び彩度に対する、歪み補正処理を行うことが可能であって、該歪み補正処理結果に基づいて、前記圧縮線を設定することを特徴とする実施態様３に記載の画像処理方法。
【００９８】
［実施態様６］  実施態様２乃至５のいずれか１つに記載の画像処理方法をコンピュータによって実現させるための制御プログラム。
【００９９】
【発明の効果】
以上説明したように本発明によれば、各デバイスの色域の違いによらず、複数のデバイス間で共通の色再現が可能となり、しかも、色再現のための細やかな調整が可能となる。
【図面の簡単な説明】
【図１】本発明の第１の実施形態にかかる画像処理装置を備えるシステムのブロック図である。
【図２】本発明の第１の実施形態にかかる画像処理装置の流れを説明するフローチャートである。
【図３】本発明の第１の実施形態にかかる画像処理装置における色相線設定処理を説明するフローチャートである。
【図４】本発明の第１の実施形態にかかる画像処理装置における圧縮線設定処理を説明するフローチャートである。
【図５】本発明の第１の実施形態にかかる画像処理装置におけるユーザインタフェースの一例を示す図である。
【図６】本発明の第１の実施形態にかかる画像処理装置における、色域データと圧縮線との交点の計算方法を説明するフローチャートである。
【図７】本発明の第１の実施形態にかかる画像処理装置における、色域データと圧縮線との交点の計算方法を説明する図である。
【図８】本発明の第１の実施形態にかかる画像処理装置におけるカラーマッチングＬＵＴ作成方法を説明するフローチャートである。
【図９】オリジナル色の色相変換をａ＊−ｂ＊平面上で説明する図である。
【図１０】オリジナル色の一例を示す図である。
【図１１】本発明の第１の実施形態にかかる画像処理装置における色相線設定処理を説明する図である。
【図１２】本発明の第１の実施形態にかかる画像処理装置における焦点色設定処理を説明する図である。
【図１３】本発明の第１の実施形態にかかる画像処理装置における最も基本的な色域圧縮を説明する図である。
【図１４】本発明の第２に実施形態にかかる画像処理装置におけるユーザインタフェースの一例を示す図である。
【図１５】目標色の一例を示す図である。
【図１６】本発明の第２に実施形態にかかる画像処理装置を備えるシステムのブロック図である。
【図１７】本発明の第２の実施形態にかかる画像処理装置におけるカラーマッチングＬＵＴ作成方法を説明するフローチャートである。
【図１８】本発明の第２の実施形態にかかる画像処理装置におけるユーザインタフェースの一例を示す図である。
【図１９】色立体を説明する図である。
【図２０】色相線の調整方法を説明する図である。
【図２１】圧縮線の調整方法を説明する図である。
【図２２】本発明の第２の実施形態にかかる画像処理装置におけるユーザインタフェースの一例を示す図である。
【図２３】本発明の第２の実施形態にかかる画像処理装置における色相補正付色相線設定処理を説明するフローチャートである。
【図２４】本発明の第２の実施形態にかかる画像処理装置における色相補正付圧縮線設定処理を説明するフローチャートである。
【図２５】カラーマネージメントシステムの構成図である。
【図２６】カラーマネージメントシステムの基本的な構成を説明するブロック図である。
【図２７】モニタの色域とプリンタの色域の相違をＬ＊−Ｃ＊平面上で説明する図である。
【図２８】従来の色域圧縮方法を説明する図である。
【符号の説明】
１・・・画像処理装置
２・・・画像表示装置
３・・・画像出力装置
４・・・画像表示部
５・・・画像処理部
６・・・色相線設定部
７・・・圧縮線設定部
８・・・制御点設定部
９・・・カラーマッチングＬＵＴ作成部
１０・・・色変換処理部
１１・・・オリジナル色記憶部
１２・・・画像出力部
１３・・・データバッファ
１４・・・モニタプロファイル
１５・・・プリンタプロファイル
１６・・・ＵＩ部
１７・・・出力条件設定部
１８・・・目標色設定部
【図１】
2004153340.tif 000003
【図２】
2004153340.tif 000004
【図３】
2004153340.tif 000005
【図４】
2004153340.tif 000006
【図５】
2004153340.tif 000007
【図６】
2004153340.tif 000008
【図７】
2004153340.tif 000009
【図８】
2004153340.tif 000010
【図９】
2004153340.tif 000011
【図１０】
2004153340.tif 000012
【図１１】
2004153340.tif 000013
【図１２】
2004153340.tif 000014
【図１３】
2004153340.tif 000015
【図１４】
2004153340.tif 000016
【図１５】
2004153340.tif 000017
【図１６】
2004153340.tif 000018
【図１７】
2004153340.tif 000019
【図１８】
2004153340.tif 000020
【図１９】
2004153340.tif 000021
【図２０】
2004153340.tif 000022
【図２１】
2004153340.tif 000023
【図２２】
2004153340.tif 000024
【図２３】
2004153340.tif 000025
【図２４】
2004153340.tif 000026
【図２５】
2004153340.tif 000027
【図２５】
2004153340.tif 000028
【図２７】
2004153340.tif 000029
【図２８】
2004153340.tif 000030
【手続補正書】
【提出日】平成14年11月7日(2002.11.7)
【手続補正１】
【補正対象書類名】図面
【補正対象項目名】全図
【補正方法】変更
【補正の内容】
【図１】
2004153340.tif 000031
【図２】
2004153340.tif 000032
【図３】
2004153340.tif 000033
【図４】
2004153340.tif 000034
【図５】
2004153340.tif 000035
【図６】
2004153340.tif 000036
【図７】
2004153340.tif 000037
【図８】
2004153340.tif 000038
【図９】
2004153340.tif 000039
【図１０】
2004153340.tif 000040
【図１１】
2004153340.tif 000041
【図１２】
2004153340.tif 000042
【図１３】
2004153340.tif 000043
【図１４】
2004153340.tif 000044
【図１５】
2004153340.tif 000045
【図１６】
2004153340.tif 000046
【図１７】
2004153340.tif 000047
【図１８】
2004153340.tif 000048
【図１９】
2004153340.tif 000049
【図２０】
2004153340.tif 000050
【図２１】
2004153340.tif 000051
【図２２】
2004153340.tif 000052
【図２３】
2004153340.tif 000053
【図２４】
2004153340.tif 000054
【図２５】
2004153340.tif 000055
【図２６】
2004153340.tif 000056
【図２７】
2004153340.tif 000057
【図２８】
2004153340.tif 000058